【事件の表示】
　平成１１年特許願第１６８１１４号「パチンコ遊技機」拒絶査定不服審判事件〔平成１２年１２月２６日出願公開、特開２０００−３５４６６７〕について、次のとおり審決する。
【結　論】
　本件審判の請求は、成り立たない。
【理　由】
１．手続の経緯
　本願は、平成１１年６月１５日の出願であって、平成１３年８月１４日付けの拒絶理由通知に対し平成１３年１１月７日付けで手続補正がなされ、平成１４年３月７日付けで拒絶査定がなされ、これに対し、平成１４年５月２日に拒絶査定に対する審判請求がなされるとともに、平成１４年５月２０日付けで手続補正がなされたものである。
　
２．平成１４年５月２０日付けの手続補正（以下、「本件補正」という。）についての補正却下の決定
［補正却下の決定の結論］
　平成１４年５月２０日付けの手続補正を却下する。
［理由］
（１）本件補正の内容
　本件補正により、特許請求の範囲の請求項１は、次のように補正された。
　「図柄変動を行った後に、遊技者に特別の利益を設定する大当り図柄または前記大当り図柄以外のはずれ図柄を確定表示する特別図柄表示装置を備えたパチンコ遊技機において、前記大当り図柄を複数種類設けると共に、前記特別図柄表示装置において大当り発生時に表示された大当り図柄の種別に基いて、前記特別図柄表示装置の図柄変動時間を短縮する変動時間短縮手段を設け、前記特別図柄表示装置の図柄変動時間の短縮を行う変動時間短縮期間を複数種類設け、前記特別図柄表示装置に表示する大当り予告表示態様を、図柄の変動時間に関するモードが通常モード時のみ出現する大当り予告表示態様と、図柄の変動時間に関するモードが変動時間短縮モード時のみ出現する大当り予告表示態様との複数種類設けると共に、始動入賞時の大当り予告を行うか否かの抽選で当選した場合に、前記変動時間短縮期間中に限り、前記図柄の変動中に、複数種類の大当り予告表示態様のうちの前記変動時間短縮モード時の大当り予告表示態様に切り換えて出現させる大当り予告表示切換手段を備えたことを特徴とするパチンコ遊技機。」
　
（２）補正要件（目的）の検討
　上記補正は、平成１３年１１月７日付け手続補正書の請求項１に記載した発明を特定するために必要な事項である「前記特別図柄表示装置に表示する大当り予告表示態様を複数種類設けると共に、」を「前記特別図柄表示装置に表示する大当り予告表示態様を、図柄の変動時間に関するモードが通常モード時のみ出現する大当り予告表示態様と、図柄の変動時間に関するモードが変動時間短縮モード時のみ出現する大当り予告表示態様との複数種類設けると共に、」と、また、「前記変動時間短縮期間中に限って、複数種類の大当り予告表示態様のうちの特定の大当り予告表示態様に切り換える大当り予告表示切換手段を備えた」を「始動入賞時の大当り予告を行うか否かの抽選で当選した場合に、前記変動時間短縮期間中に限り、前記図柄の変動中に、複数種類の大当り予告表示態様のうちの前記変動時間短縮モード時の大当り予告表示態様に切り換えて出現させる大当り予告表示切換手段を備えた」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
（３）補正要件（独立特許要件：特許法第３６条第６項第２号）の検討
　本願補正発明には「始動入賞時の大当り予告を行うか否かの抽選で当選した場合に、前記変動時間短縮期間中に限り、前記図柄の変動中に、複数種類の大当り予告表示態様のうちの前記変動時間短縮モード時の大当り予告表示態様に切り換えて出現させる大当り予告表示切換手段」と記載されている。
　ここで、「切り換えて」とは、一般に、「今までのに取りかえて別のにする」（広辞苑第５版）、「今までのものをやめて別のものにする」（大辞泉）などといった意味を有するものとされており、「切り換えて」を明確に把握するためには、「今まで」がどのようなものか明確に特定されていることが必要であると認められるが、本願補正発明の請求項１には、「今まで」の表示態様がどのようなものか特定する記載はなく、他の記載を参酌しても、「切り換えて出現させる」ことの技術的な意味を明確に把握することはできない。
　したがって、本願補正発明は、特許法第３６条第６項第２号の規定により特許出願の際独立して特許を受けることができないものである。
　
（４）補正要件（独立特許要件：特許法第２９条第２項）の検討
（４−１）引用例に記載の発明
　原査定の拒絶の理由に引用された、本願の出願の日前である平成１０年１２月２日に頒布された「特開平１０−３１４３９７号公報」（以下「引用例」という。）には、以下の事項が記載されている。
　
記載事項１；「本発明は、パチンコ遊技機に関し、更に詳しくは、パチンコ遊技機の遊技盤面に設けられる図柄表示装置の図柄変動を「リーチ」の状況に応じて可変制御する制御機構を備えた図柄変動制御装置に関するものである。」（段落０００１）
　
記載事項２；「「当たり」が発生すると、第１種始動入賞口４が通常モード時では０．３秒間、変動時間短縮モード時では２．０秒間の開口を行う（Ｓ８８）。この開口中に遊技球が入賞すると（Ｓ９０）、特別図柄表示装置２の図柄表示部２ａ、２ｂ、２ｃが変動を開始し（Ｓ９２）、遊技球が第１種始動入賞口４に入賞したことが第１種始動口用検出スイッチ４４に検知されてから、約８．１秒以上が経過すると図柄表示部２ａ、２ｂ、２ｃの変動が停止し、図柄を表示する。　但し、変動時間短縮モード時における記憶の変動を行う場合は、変動開始後約３．０秒以上経過すると図柄表示部２ａ、２ｂ、２ｃの順番で停止する。この時に表示された図柄が全て同じ図柄であった場合は「大当たり」と称し（Ｓ９４，Ｓ９６）、条件装置の作動が開始される（Ｓ９８）。図柄表示部２ａ、２ｂ、２ｃの表示図柄が全て同一図柄で表示されない場合は「はずれ」となり、条件装置は作動しない。」（段落００２７−００２８）
　
記載事項３；「図柄表示部２ａ、２ｂ、２ｃに表示される図柄は、各々１４通りずつが設定され、それらの組み合わせによって「大当たり」図柄が構成される。」（段落００２９）
　
記載事項４；「図６は特別図柄表示装置２の内部における図柄表示領域の詳細を示している。特別図柄表示装置２は、変動図柄を表示する表示領域９０にて構成され、その中央部は左図柄表示領域９２、右図柄表示領域９３、中図柄表示領域９４があり、その内部に枠９５で囲まれた「リーチ」、「大当たり」等を表示する図柄表示部２ａ、２ｂ、２ｃが各々構成される。図柄表示部２ａ、２ｂ、２ｃの各々の背後には、これらの遊技状況に応じて変動し、各図柄表示部を彩る図柄表示部背景９８が表示され、図柄表示部２ａ、２ｂ、２ｃ、の各図柄はこの図柄表示部背景の前面に表示される。」（段落００３２）
　
記載事項５；「上記各種の「リーチ」が発生する場合は、「リーチ」の予告として表示領域９０の表示領域内背景９７の表示図柄が変動し、その発生を予告する。「リーチ」の予告は３パターンが設定され、遊技状況に応じてそのパターンが選択され表示される。尚、「リーチ」が発生しない場合は予告表示等は行わず、表示領域背景９７の表示図柄は変動しない。図１３（ａ），（ｂ）は第１のリーチ予告パターンが表示される場合のタイムチャートを示す。（ａ）はその第１のリーチ予告パターンが表示されるタイムチャートを示し、（ｂ）には第１のリーチ予告パターンの変動パターンを示す。特別図柄表示部（「図柄表示部」の誤記と認められる。）２ａ、２ｂ、２ｃが特別図柄の変動を開始し、停止した左右の図柄表示部２ａ、２ｂが同一図柄を表示して「リーチ」状態が発生する場合、図柄の変動が開始されてから０．３秒後に表示領域９０の表示領域内背景９７が「リーチ」の予告としてランダムで変動を行う。変動する背景図柄（図中Ｂ）は３種類が設定され、６コマの図柄変動を１パターンとし、「リーチ」の直前まで３周繰り返し表示する。」（段落００４７−００４８）
　
記載事項６；「図１８は普通図柄表示装置２３及び特別図柄表示装置２のモード移行手法を示すフローチャートである。前記条件装置の作動が終了すると各図柄表示装置のモードは、通常モードから変動時間短縮モードへと移行する（Ｓ２３１）。普通図柄表示装置２３及び特別図柄表示装置２は通常モードと変動時間短縮モードの２つのモードを有し、電源投入時は共に通常モードである。その後「大当たり」の発生に伴って条件装置が作動すると、その作動の終了から図柄表示部２ａ、２ｂ、２ｃが変動する所定回数の間は、普通図柄２４及び図柄表示部２ａ、２ｂ、２ｃの図柄変動時間は変動図柄短縮モードに設定された時間で変動する。変動時間短縮モードによって図柄の変動所要時間が短縮される回数は、「大当たり」で表示された図柄によって異なり、表４の（ａ）にその図柄と図柄変動時間が短縮される回数を示し、（ｂ）にその通常モードと変動時間短縮モード別の図柄変動所要時間を示す。」（段落００５４−００５５）
　
記載事項７；「（ｃ）は変動時間短縮モード時に発生する変動内容を示す。普通図柄表示装置２３及び特別図柄表示装置２が変動時間短縮モードへの移行に伴って、普通図柄２４に表示される図柄の色彩は通常モードとは異なった色彩に変更され表示される。この色彩の変更は各表示装置もモードが変動時間短縮モードの場合のみであり、モードが通常モードに移行すれば色彩も通常モード時の色彩に移行する。」（段落００５９）
　
記載事項８；「更に変動時間短縮モード中に「大当たり」が発生した場合は、その変動時間短縮モードの短縮回数別に表示されるキャラクターが異なって設定される。変動時間の短縮回数は５０回，７０回，１００回の３パターンが設定されるが、この設定回数には各１種類のキャラクターが設定され、設定された短縮回数作動中に「大当たり」が発生すると、該当するキャラクターが登場し「大当たり」の表示がされる。」（段落００６０）
　
記載事項９；「そして図柄の変動時間をモード別に設定し、そのモードに応じた図柄変動時間の制御、及びそのモードが変動時間短縮時における「リーチ」と「リーチ」以外の遊技状況下における背景図柄の変化、普通図柄の色彩の変化、更には表示されるキャラクターが複数設定されていることことから、遊技者は現在の遊技状況を正確に把握することができ、飽きることなく遊技を継続できる。」（段落００６２）
　
　また、図２から、普通図柄表示装置２３の普通図柄２４と特別図柄表示装置２は近接する位置にあり、遊技者が同時に表示態様を視認可能であることが明らかであり、記載事項９から、普通図柄の色彩の変化により遊技者は現在の遊技状況を正確に把握することができるものと認められる。
　さらに、記載事項５及び７から、出現する予告表示には、以下の２つ、すなわち、複数種類の態様があることが認められる。
・普通図柄２４に表示される図柄の色彩が通常モードとは異なった色彩で表示された状態でリーチの予告として特別図柄表示装置２の表示領域９０の表示領域内背景９７の表示図柄が変動する態様。
・普通図柄２４に表示される図柄の色彩が通常モード時の色彩で表示された状態でリーチの予告として特別図柄表示装置２の表示領域９０の表示領域内背景９７の表示図柄が変動する態様。
　そして、前者は変動時間短縮モードの場合のみ出現し、後者は通常モード時に出現するものであることが認められる。
　
　前記摘示の記載及び認定事項によれば、引用例には、以下の発明（以下、「引用発明」という。）が記載されているものと認められる。
　「図柄表示部２ａ、２ｂ、２ｃが変動を開始し、遊技球が第１種始動入賞口４に入賞したことが検知されてから約８．１秒以上、又は、変動開始後約３．０秒以上経過すると、図柄表示部２ａ、２ｂ、２ｃの順番で停止し、表示された図柄が全て同じ図柄であった場合は大当たりとなり、全て同一図柄で表示されない場合ははずれとなる特別図柄表示装置２を備えたパチンコ遊技機において、図柄表示部２ａ、２ｂ、２ｃに表示される図柄は、各々１４通りずつが設定され、それらの組み合わせによって大当たり図柄が構成され、特別図柄表示装置２において大当たりで表示された図柄によって、変動時間短縮モードによって図柄の変動所要時間が短縮される回数は異なり、変動時間の短縮回数は５０回，７０回，１００回の３パターンが設定され、普通図柄２４及び特別図柄表示装置２に表示するリーチ予告態様を、通常モード時に出現する普通図柄２４に表示される図柄の色彩が通常モード時の色彩で表示された状態でリーチの予告として特別図柄表示装置２の表示領域９０の表示領域内背景９７の表示図柄が変動する態様と、変動時間短縮モードの場合のみ出現する普通図柄２４に表示される図柄の色彩が通常モードとは異なった色彩で表示された状態でリーチの予告として特別図柄表示装置２の表示領域９０の表示領域内背景９７の表示図柄が変動する態様との複数種類設けると共に、リーチ状態が発生する場合に、変動時間短縮モードの場合のみに、普通図柄２４に表示される図柄の色彩が通常モードとは異なった色彩で表示された状態で、図柄表示部２ａ、２ｂ、２ｃが特別図柄の変動を開始し、図柄の変動が開始されてから０．３秒後に表示領域９０の表示領域内背景９７がリーチの予告を行うパチンコ遊技機。」
　
（４−２）対比
　本願補正発明と引用発明を対比するに際して、本願補正発明の「始動入賞時の大当り予告を行うか否かの抽選で当選した場合に、前記変動時間短縮期間中に限り、前記図柄の変動中に、複数種類の大当り予告表示態様のうちの前記変動時間短縮モード時の大当り予告表示態様に切り換えて出現させる大当り予告表示切換手段」との記載は、上記（３）補正要件（独立特許要件：特許法第３６条第６項第２号）で検討したように、明瞭ではないので、発明の詳細な説明の記載を参酌すると、当該「大当り予告表示切換手段」は、変動時間短縮期間中に出現するものであるから予告４について特定しようとするものと認められ、予告４の発生タイミングについては、「変動時間短縮モード時にのみ出現する予告４の発生タイミングは、前述した予告１の発生タイミングと全く同じに設定してある」（段落０１１０）と記載されており、予告１の発生タイミングについて、「図２４は、…当選となった入賞による特別図柄の変動が開始する時点で、予告１の表示を開始し、当選となった入賞による特別図柄の変動が終了する時点で、予告１の表示を終了する。」（段落００９３）、「図２５は、…当選となった時点の特別図柄の変動が終了した後の次の特別図柄の変動が開始する時点で、予告１の表示を開始し、当選となった入賞による特別図柄の変動が終了する時点で、予告１の表示を終了する。」（段落００９５）、「図２６は、…当選となった時点の特別図柄の変動が終了した後の次の特別図柄の変動が開始する時点で、予告１の表示を開始し、当選となった時点の特別図柄の変動が終了した後の次の特別図柄の変動が終了する時点で、予告１の表示を終了する。」（段落００９６）、「図２７は、…最初に当選となった入賞による特別図柄の変動が開始する時点で、予告１の表示を開始し、再度当選となった入賞による特別図柄の変動が終了する時点で、予告１の表示を終了する。」（段落００９８）、及び、「図２８は、…最初に当選となった入賞による特別図柄の変動が開始する時点で、予告１の表示を開始し、再度当選となった時点の特別図柄の変動が終了した後の次の特別図柄の変動が終了する時点で、予告１の表示を終了する。」（段落００９９）との記載があり、これらに共通する事項として、特別図柄の変動が開始する時点で、予告１、すなわち予告４の表示を開始することということができるから、上記不明瞭な記載は、「始動入賞時の大当り予告を行うか否かの抽選で当選した場合に、前記変動時間短縮期間中に限り、特別図柄の変動が開始する時点で、複数種類の大当り予告表示態様のうちの前記変動時間短縮モード時の大当り予告表示態様の表示を開始する大当り予告表示切換手段」を意味するものと認められる。
　
　そこで、本願補正発明と引用発明を対比すると、引用発明の「図柄表示部２ａ、２ｂ、２ｃが変動を開始し、遊技球が第１種始動入賞口４に入賞したことが検知されてから約８．１秒以上、又は、変動開始後約３．０秒以上経過すると、」は本願補正発明の「図柄変動を行った後に、」ということができ、同様に、「図柄表示部２ａ、２ｂ、２ｃの順番で停止し、表示された図柄が全て同じ図柄であった場合は大当たりとなり、全て同一図柄で表示されない場合ははずれとなる」は「遊技者に特別の利益を設定する大当り図柄または前記大当り図柄以外のはずれ図柄を確定表示する」と、「図柄表示部２ａ、２ｂ、２ｃに表示される図柄は、各々１４通りずつが設定され、それらの組み合わせによって大当たり図柄が構成され、」は「前記大当り図柄を複数種類設けると共に、」と、「特別図柄表示装置２は通常モードと変動時間短縮モードの２つのモードを有し、変動時間短縮モードによって図柄の変動所要時間が短縮される回数は、「大当たり」で表示された図柄によって異なり、」は「前記特別図柄表示装置において大当り発生時に表示された大当り図柄の種別に基いて、前記特別図柄表示装置の図柄変動時間を短縮する変動時間短縮手段を設け、」と、「変動時間の短縮回数は５０回，７０回，１００回の３パターンが設定され、」は「前記特別図柄表示装置の図柄変動時間の短縮を行う変動時間短縮期間を複数種類設け、」と、「変動時間短縮モードの場合のみに、」は「前記変動時間短縮期間中に限り、」ということができる。
　
　引用発明の「普通図柄２４及び特別図柄表示装置２に表示するリーチ予告態様を、通常モード時のみ出現する普通図柄２４に表示される図柄の色彩が通常モード時の色彩で表示された状態でリーチの予告として特別図柄表示装置２の表示領域９０の表示領域内背景９７の表示図柄が変動する態様と、変動時間短縮モード時のみ出現する普通図柄２４に表示される図柄の色彩が通常モードとは異なった色彩で表示された状態でリーチの予告として特別図柄表示装置２の表示領域９０の表示領域内背景９７の表示図柄が変動する態様との複数種類設ける」と本願補正発明の「前記特別図柄表示装置に表示する大当り予告表示態様を、図柄の変動時間に関するモードが通常モード時のみ出現する大当り予告表示態様と、図柄の変動時間に関するモードが変動時間短縮モード時のみ出現する大当り予告表示態様との複数種類設けると共に、」は、「遊技状況に関する予告態様を、図柄の変動時間に関するモードが通常モード時のみ出現する予告表示態様と、図柄の変動時間に関するモードが変動時間短縮モード時のみ出現する予告表示態様との複数種類設ける」点において共通するものである。
　
　そうすると両者は、「図柄変動を行った後に、遊技者に特別の利益を設定する大当り図柄または前記大当り図柄以外のはずれ図柄を確定表示する特別図柄表示装置を備えたパチンコ遊技機において、前記大当り図柄を複数種類設けると共に、前記特別図柄表示装置において大当り発生時に表示された大当り図柄の種別に基いて、前記特別図柄表示装置の図柄変動時間を短縮する変動時間短縮手段を設け、前記特別図柄表示装置の図柄変動時間の短縮を行う変動時間短縮期間を複数種類設け、遊技状況に関する予告態様を、図柄の変動時間に関するモードが通常モード時のみ出現する予告表示態様と、図柄の変動時間に関するモードが変動時間短縮モード時のみ出現する予告表示態様との複数種類設けるパチンコ遊技機。」で一致し、以下の点で相違する。
　
相違点１；「遊技状況に関する予告態様を、図柄の変動時間に関するモードが通常モード時のみ出現する予告表示態様と、図柄の変動時間に関するモードが変動時間短縮モード時のみ出現する予告表示態様との複数種類設ける」点について、本願補正発明は、遊技状況が大当りであり、予告表示態様を特別図柄表示装置に表示するのに対して、引用発明は、遊技状況がリーチであり、予告表示態様を普通図柄２４及び特別図柄表示装置に表示する点。
　
相違点２；本願補正発明は、「始動入賞時の大当り予告を行うか否かの抽選で当選した場合」に、予告表示態様を出現させるのに対して、引用発明は、予告を行うか否か抽選されない点。
　
相違点３；本願補正発明は、「前記図柄の変動中に、複数種類の大当り予告表示態様のうちの前記変動時間短縮モード時の大当り予告表示態様に切り換えて出現させる大当り予告表示切換手段を備えた」、すなわち、「特別図柄の変動が開始する時点で、複数種類の大当り予告表示態様のうちの前記変動時間短縮モード時の大当り予告表示態様の表示を開始する大当り予告表示切換手段を備えた」ものであるのに対して、引用発明は、「普通図柄２４に表示される図柄の色彩が通常モードとは異なった色彩で表示された状態で、図柄表示部２ａ、２ｂ、２ｃが特別図柄の変動を開始し、図柄の変動が開始されてから０．３秒後に表示領域９０の表示領域内背景９７がリーチの予告を行う」点。
　
（４−３）判断
　相違点１について
　パチンコ遊技機において、所定の遊技状況を特別図柄表示装置のみに表示することは周知技術（下記周知例１乃至３参照）であるから、引用発明における普通図柄２４の表示（図柄の色彩が通常モードとは異なった色彩で表示）を、特別図柄表示装置に表示することは、当業者が適宜成し得る程度のことであり、さらに、特別図柄表示装置に大当り予告表示態様を表示することも、周知技術（下記周知例４乃至６参照）であり、大当り予告とリーチ予告は、共に遊技者の興趣を高める予告表示として共通のものであるから、引用発明における遊技状況に関する予告態様を、特別図柄表示装置に表示する大当り予告表示態様とすること、すなわち、前記特別図柄表示装置に表示する大当り予告表示態様を、図柄の変動時間に関するモードが通常モード時のみ出現する大当り予告表示態様と、図柄の変動時間に関するモードが変動時間短縮モード時のみ出現する大当り予告表示態様との複数種類設けることは、当業者が容易に想到できることである。
　
　相違点２について
　パチンコ遊技機において、始動入賞時の大当り予告を行うか否かの抽選で当選した場合に、予告表示態様を出現させることは、周知技術（下記周知例５又は６参照）であるから、引用発明にそのような周知技術を採用することは、当業者にとって格別創意工夫を要することではない。
　
　相違点３について
　引用発明においても、図柄の変動が開始されてから０．３秒後に予告が行われるのであるから、遊技者の認識力を考慮すれば、実質的には、特別図柄の変動が開始する時点で予告を開始するものということができ、また、特別図柄の変動が開始する時点で予告を開始することも、パチンコ機として周知技術（下記周知例７乃至９参照）であるから、引用発明において、特別図柄の変動が開始する時点で、複数種類の大当り予告表示態様のうちの前記変動時間短縮モード時の大当り予告表示態様の表示を開始する、すなわち、前記図柄の変動中に、複数種類の大当り予告表示態様のうちの前記変動時間短縮モード時の大当り予告表示態様に切り換えて出現させることは、当業者が容易に想到できることである。
　
　そして、本願補正発明の作用効果も、引用発明及び周知技術から当業者が予測できる域を超えるものではない。
　
　したがって、本願補正発明は、引用発明に基づいて、当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１４年５月２０日付けの手続補正は上記のとおり却下されたので、本願の請求項１及び２に係る発明は、平成１３年１１月７日付けの手続補正によって補正された明細書及び図面の記載からみて、特許請求の範囲の請求項１及び２に記載されたとおりのものと認められるところ、その請求項１に記載された発明（以下「本願発明」という。）は次のとおりである。
　「図柄変動を行った後に、遊技者に特別の利益を設定する大当り図柄または前記大当り図柄以外のはずれ図柄を確定表示する特別図柄表示装置を備えたパチンコ遊技機において、前記大当り図柄を複数種類設けると共に、前記特別図柄表示装置において大当り発生時に表示された大当り図柄の種別に基いて、前記特別図柄表示装置の図柄変動時間を短縮する変動時間短縮手段を設け、前記特別図柄表示装置の図柄変動時間の短縮を行う変動時間短縮期間を複数種類設け、前記特別図柄表示装置に表示する大当り予告表示態様を複数種類設けると共に、前記変動時間短縮期間中に限って、複数種類の大当り予告表示態様のうちの特定の大当り予告表示態様に切り換える大当り予告表示切換手段を備えたことを特徴とするパチンコ遊技機。」
　
（１）引用例に記載の発明
　原査定の拒絶の理由に引用された引用例である特開平１０−３１４３９７号公報は、前記２．（４−１）において記載した引用例と同一文献であって、この引用例の記載事項及び該記載事項に基づいて認定される発明（以下、「引用発明」という。）は、前記したとおりのものである。
　
（２）対比・判断
　本願発明は、前記２．（２）で検討した本願補正発明の「前記特別図柄表示装置に表示する大当り予告表示態様を、図柄の変動時間に関するモードが通常モード時のみ出現する大当り予告表示態様と、図柄の変動時間に関するモードが変動時間短縮モード時のみ出現する大当り予告表示態様との複数種類設けると共に、」を「前記特別図柄表示装置に表示する大当り予告表示態様を複数種類設けると共に、」と、また、「始動入賞時の大当り予告を行うか否かの抽選で当選した場合に、前記変動時間短縮期間中に限り、前記図柄の変動中に、複数種類の大当り予告表示態様のうちの前記変動時間短縮モード時の大当り予告表示態様に切り換えて出現させる大当り予告表示切換手段を備えた」を「前記変動時間短縮期間中に限って、複数種類の大当り予告表示態様のうちの特定の大当り予告表示態様に切り換える大当り予告表示切換手段を備えた」として、概念的に上位にしたものである。
　そうすると、本願発明を概念的に下位にしたものに相当する本願補正発明が、前記２．（４）に記載したとおり、引用発明に基づいて、当業者が容易に発明をすることができたものであるから、本願発明も、同様の理由により、引用発明に基づいて、当業者が容易に発明をすることができたものである。
　
（３）むすび
　以上のとおり、本願発明は、引用発明に基いて、当業者が容易に発明をすることができたものであるから、特許法第２９条第２項の規定により特許を受けることができず、本願の他の請求項に係る発明について論じるまでもなく、結論のとおり審決する。
　
＜周知例に開示される技術＞
周知例１；特開平４−２６９９８４号公報
　「また、図柄表示器１４ａ，１４ｂは、２色発光のセグメントＬＥＤが使用され、後述する低確率で変動表示する場合には、例えば、赤色で変動表示し、高確率で変動表示する場合には、例えば、緑色で変動表示するように表示制御される。これによって、遊技者は、図柄表示装置１３がどのような確率で変動表示しているかを即座に知ることができる。」（段落００１０）と記載され、パチンコ遊技機において、所定の遊技状況を特別図柄表示装置に表示する技術が開示されている。
　
周知例２；特開平７−２１３７１０号公報
　「すなわち、通常状態の時は、通常の背景表示であるサッカーをモチーフとした背景表示で特図の変動表示が進行し、ラッキーナンバー図柄で大当たりとなると、大当たり終了後、普図ゲーム及び特図ゲームが高確率状態となるとともに、確率変動１回目を認識させるために特図の背景表示が大相撲をモチーフとして背景表示に切り換えられる。ここで、再度大当たりになると、一旦、低確率状態となり、大当たり終了後に、再び高確率状態に復帰するとともに、確率変動２回目を認識させるために特図の背景表示が競馬をモチーフとした背景図柄に切り換えられる。」（段落０１５８−０１５９）と記載され、パチンコ遊技機において、所定の遊技状況を特別図柄表示装置に表示する技術が開示されている。
　
周知例３；特開平９−２８８８２号公報
　「請求項１記載の発明は、可変表示ゲームを行わせる可変表示部を有し、前記可変表示ゲームの停止表示態様に基づき遊技者に有利な特別遊技の発生が可能な遊技機であり、前記特別遊技の発生に関し遊技者に有利となる複数種類の特殊遊技を発生させる特殊遊技発生手段と、前記複数種類の特殊遊技内容を識別し該識別した特殊遊技内容を前記可変表示部を介して報知させる特殊遊技内容識別報知手段とを備えている。この請求項１記載の発明によれば、可変表示部において行われる可変表示ゲームの結果に基づいて発生される特別遊技の発生に関し遊技者に有利となる特殊遊技が発生された場合に、その特殊遊技の内容が何であるかが、特殊遊技内容識別報知手段により識別されその識別された特殊遊技の内容が可変表示部を介して報知されるので、その発生した特殊遊技の内容が何であるかが遊技者に的確に認識される。」（段落００１３−００１４）と記載され、パチンコ遊技機において、所定の遊技状況を特別図柄表示装置に表示する技術が開示されている。
　
周知例４；特開平７−６８０２７号公報
　「次にＳ３に進み、ランダム３カウンタのカウント値を読出す処理が行なわれる。このランダム３カウンタは、０からカウントアップしてその上限である２までカウントアップした後再度０からカウントアップし直すものである。そして、読出されたカウント値が０のときにＳ４に進み、大当り予告１を行なうためのフラグがセットされる。ランダム３カウンタの値が１のときにはＳ５に進み、リーチ予告を行なうためのフラグがセットされる。リーチとは、複数の可変表示部が時期を異ならせて停止される場合に、一部の可変表示部が未だ可変表示している段階で既に停止している可変表示部の表示結果が大当りとなる特定の表示態様の条件を満たしている状態である。ランダム３カウンタの値が２のときにはＳ６に進み、予告なしの状態となり、直接Ｓ１１に進む。」（段落００２０）、「（Ｂ）は前述した大当り予告１のときのＬＣＤ表示装置５による可変表示動作が示されている。この大当り予告１の場合には、打玉の始動入賞により左図柄５２と中図柄３と右図柄５２との全図柄が逆方向に１／２図柄分だけスクロールした後元の位置まで戻ってから、全図柄が下方向にスクロール表示される可変表示が開始される。（Ｃ）は大当り予告２を行なう場合のＬＣＤ表示装置５による可変表示動作が示されている。この大当り予告２の場合には、打玉の始動入賞により全図柄５１，５２，５３が下方向にスクロールして可変表示され、まず左図柄５１が停止して、次に右図柄５２が停止する際に、予定停止図柄（図面では１）がほぼ１図柄分通り過ぎてから停止位置まで逆スクロールして停止され、次に中図柄５３が停止する際にも、予定停止図柄（図面では９）がほぼ１図柄分通り過ぎてから停止位置まで逆スクロールして停止される。図５は、可変表示中の画面を切換えて予告表示を行なう例を示す図である。（Ａ）はリーチ予告を行なう場合であり、ＬＣＤ表示装置５によりすべての図柄５１，５２，５３が可変表示されている最中に、「リーチ！」のメッセージ５４を表示させ、その後通常の可変表示に戻り、左図柄５１が停止され、右図柄５２が停止され、最後に中図柄５３が停止される。（Ｂ）は大当り予告１を行なう場合が示されており、ＬＣＤ表示装置５によりすべての図柄５１，５２，５３が可変表示されている最中に、「フィーバー！」のメッセージ５５を表示させ、次に通常の可変表示に戻り左図柄５１，右図柄５２，中図柄５３の順に停止する。（Ｃ）は大当り予告２を行なう場合が示されており、ＬＣＤ表示装置５によりすべての図柄５１，５２，５３が可変表示されている最中に、「チャンス！」のメッセージ５６が表示され、次に通常の可変表示に戻り、左図柄５１，右図柄５２，中図柄５３の順に停止する。」（段落００３５−００３９）と記載され、パチンコ遊技機において、特別図柄表示装置に大当り予告表示態様を表示する技術が開示されている。
　
周知例５；特開平８−３３６６４２号公報
　「次に、Ｃ  ＲＮＤ  ＹＯＫは、大当り予告決定用に用いられ、０からカウントアップしてその上限である８９９までカウントアップした後、再度０からカウントアップし直される。このカウントアップの加算更新は、Ｃ  ＲＮＤ  ＲＣＨの桁上げ、すなわち、Ｃ  ＲＮＤ  ＲＣＨの値が「１４」から「０」に変化したときにＣ  ＲＮＤ  ＹＯＫが「１」ずつ加算更新されるのである。このＣ  ＲＮＤＹＯＫの抽出は、Ｃ  ＲＮＤ１の読出と同時期に行なわれる。」（段落００９０）、「打玉が始動口９に入賞して始動玉検出器２１により検出されれば、その時点におけるＣ  ＲＮＤ１の値を抽出し、その抽出値が通常時においては「３」のとき、前述した高確率状態時においては「３」，「５」，「７」，「１１」，「１３」のうちのいずれかであるときには、大当りを発生させることが事前決定される。そして、大当りを発生させることが事前決定された場合には、Ｃ  ＲＮＤ  ＺＵ１の抽出値により、大当りとなる図柄が決定され、さらに、Ｃ  ＲＮＤ  ＹＯＫの抽出値により大当り予告を実行するか否かの決定および大当り予告の種類の決定が行なわれる。この決定は、後述する大当り予告テーブルを用いて行なわれる。」（段落００９２）と記載され、パチンコ遊技機において、特別図柄表示装置に大当り予告表示態様を表示する技術、また、大当り予告を行うか否かの抽選を始動入賞時に行う技術が開示されている。
　
周知例６；特開平９−１０８４１６号公報
　「また、この特別図柄可変表示遊技では、普通変動入賞装置９に遊技球が入賞して特図始動スイッチ９ｂにより検出されると、この検出タイミングに基づいて抽出される大当たり用の乱数値がその乱数判定値と比較されて、大当たりであるか否かが判別される。その結果、大当たりであれば、所定の割合（例えば、３３％）で、その大当たりを発生させる乱数値に基づく可変表示遊技が行われる前までの始動記憶による可変表示遊技を全てリーチ表示態様とさせる大当たり予告制御が行なわれる。」（段落００４０）と記載され、パチンコ遊技機において、特別図柄表示装置に大当り予告表示態様を表示する技術、また、大当り予告を行うか否かの抽選を始動入賞時に行う技術が開示されている。
　
周知例７；特開平９−１０８４１５号公報
　「例えば、特図の可変表示遊技の変動開始時に大当り予告表示１が行われるときには、図１４（ａ）に示すように、例えば、可変表示部４ａ中の図柄の表示部分（左表示部分４１ａ、中表示部分４１ｂ、右表示部分４１ｃ）以外に、大当り予告表示１が行われていることを示す例えばキャラクターと吹き出し内の「チャンス！」等の表示が行われる。また、特図の可変表示遊技の変動開始時に大当り予告表示２か行われるときには、図１４（ｂ）に示すように、例えば、可変表示部４ａ中の停止図柄の表示部分（左表示部分４１ａ、中表示部分４１ｂ、右表示部分４１ｃ）以外に、大当り予告表示１が行われていることを示す例えばキャラクターと吹き出し内の「ダブルチャンス！」等の表示が行われる。」（段落０１５１−０１５２）と記載され、パチンコ遊技機において、特別図柄の変動が開始する時点で予告を開始する技術が開示されている。
　
周知例８；特開平１０−２６３１５６号公報
　「つまり、変動速度の変化、図柄の伸縮、形状変形、景色色の変化、キャラクターの出現などでもいい。タイミングも例えば変動開始時などでもよい。なお、以上記載のことは、大当り予告についても同様である。」（段落００５５）と記載され、パチンコ遊技機において、特別図柄の変動が開始する時点で予告を開始する技術が開示されている。
　
周知例９；特開平１１−１０４３１１号公報
　「また、上記した図柄変動において、大当りあるいはリーチの予告が実行される場合は、図１３に示す３種類のタイミングのうちいずれかでキャラクタ図柄が表示される（同図中には、第２表示装置予告１〜３と記載）。予告１は、図１４（Ａ）〜（Ｄ）にも示すように、回転ドラム４１〜４３の回転開始と同時にキャラクタ図柄（図１４（Ｂ）中に図柄Ｄと記載）を予告図柄として所定時間表示する態様である。予告２は、回転ドラム４１〜４３の回転以前にキャラクタ図柄を表示し、回転ドラム４１〜４３の回転開始と同時にキャラクタ図柄の表示を解除する態様である。」（段落００３０）と記載され、パチンコ遊技機において、特別図柄の変動が開始する時点で予告を開始する技術が開示されている。